(57)【要約】【課題】主として浄化装置及び電解装置とナノ熱ヒーターにより構成される養生活肌酸性・アルカリ性湯沸器を提供する。【解決手段】電解装置は、主として電源アダプタ、メイン制御回路基板、コントロールパネル回路基板、水管、電解槽、流量センサーを含む。その特徴は、上述電解槽のメイン用水管上にナノ熱ヒーターが備えていることである。ナノ熱ヒーターの採用により、水電の分離を実現し、安全を確保できる。温度上昇が快速で、熱効率が高いため、スイッチを入れ次第に温かくなるという効果が実現できる。また、出るのが酸性水であるか、アルカリ性水であるかを自由に選択でき、つまり、弱アルカリ性水の飲用又は弱酸性美容水の使用を選択できる。そのほか、生成する付着水が回流管によりフィルタの中に戻り、水道水と混合して再び電解槽に入る。それにより、用水を節約し、便利に使用できる。【選択図】図２
0003153462.tif 000002
【実用新案登録請求の範囲】
【請求項１】
浄化装置、電解装置及びナノ熱ヒーターを含む養生活肌酸性・アルカリ性湯沸器であって、
電解装置は、電源アダプタ、メイン制御回路基板、コントロールパネル回路基板、水管、電解槽、流量センサーを含み、
外部電源は、電源アダプタを通過してメイン制御回路基板、コントロールパネル回路基板及び電解槽に電力を供給し、
流量センサーは、電解槽の入水管に設けられ、入水管は電解槽に接続し、
電解後の電解水がそれぞれメイン用水管及び回流管により送り出され、
前記電解槽のメイン用水管上にナノ熱ヒーターは設けられる、
ことを特徴とする養生活肌酸性・アルカリ性湯沸器。
【請求項２】
前記養生活肌酸性・アルカリ性湯沸器は、浄化装置、電解槽、ナノ熱ヒーター、電源アダプタ及び制御回路基板により組合せされる、
ことを特徴とする請求項１に記載の養生活肌酸性・アルカリ性湯沸器。
【請求項３】
前記電解槽は、コントロールパネルからの指令により酸性水又はアルカリ性水を生成することが可能である、
ことを特徴とする請求項１に記載の養生活肌酸性・アルカリ性湯沸器。
【請求項４】
前記電解槽が制御パネルからの指令により生成した付着水は、回流管を通過して浄化装置へ戻る、
ことを特徴とする請求項１に記載の養生活肌酸性・アルカリ性湯沸器。
【請求項５】
前記メイン用水管は、指令により酸性水又はアルカリ性水を送り出せる、
ことを特徴とする請求項１に記載の養生活肌酸性・アルカリ性湯沸器。
【請求項６】
前記ナノ熱ヒーター上に温度センサーが設けられる、
ことを特徴とする請求項１に記載の養生活肌酸性・アルカリ性湯沸器。
【考案の詳細な説明】
【技術分野】
【０００１】
本考案は、水質浄化処理及び電解装置に関し、特に、電解水の酸性/アルカリ性を直接に選択して加熱できる電解式湯沸器に関する。
【背景技術】
【０００２】
現在、生活レベルの向上につれて、人々が飲料水の品質に対する要求は、ますます厳しくなる。従って、電解水も人気な高品質の飲料水になり、そして、電解式飲用水機が次第に数多くの家庭や事務所に入っている。国内外の電解水機は、主として、1．ろ過浄化部（ポリプロピレン制フィルタエレメント、銀含有の活性炭制フィルタエレメント、中空のファイバーコアなど）、2．電解槽（電解水生成器）部、3．制御回路という三つの部分で構成される。水道水が電解水機の浄化及び電解処理により、直接に飲用でき且つ保健効果を持つ弱アルカリ性電解水、及びそのほか外用殺菌と美容作用を持つ酸性電解水を生成する。しかし、国内外において、既存の電解水機の中、1種は、同時性加熱装置がない電解水機である。アルカリ性電解水は、確かに新鮮のうちに生で飲むことを薦められるが、温かい電解水が必要な場合、特に寒い冬の時、使用者は別途に電解水を加熱しかできない。それゆえ、そのような電解水機の使用が便利とは言えない。もう1種は、電解水機の内部に、加熱ドラムを採用して、アルカリ性電解水の保存や加熱を行うものである。ただし、長期の作動により、電解水の活性が下がり、且つ機体内に垢がつきやすくなるため、機械の使用寿命にも影響を与える。
【０００３】
既存の湯沸器の中、電熱式にしても、ガス式にしても、機能が単一で、いずれも飲用の機能を風呂やスキンケア・美容の機能と結びつけられない。
【考案の概要】
【考案が解決しようとする課題】
【０００４】
本考案の目的は、上述の問題に対して、ナノ熱ヒーターの採用により、加熱の過程中に酸素を消耗しなく、エネルギーを節約し、効率を向上することができる酸性・アルカリ性湯沸器を提供することにある。この酸性・アルカリ性湯沸器は、熱効率が98％に達し、加熱の時に水電の分離を実現し、且つ多重の保護措置により、スイッチを入れ次第に温かくなれ、環境保護、安全性高めや水質向上などの効果を発揮している。
【課題を解決するための手段】
【０００５】
本考案は、次のような技術的特徴に基づいて実現されたものである。
【０００６】
本考案の酸性・アルカリ性湯沸器は、電解水機浄化装置及び電解装置とナノ熱ヒーターにより構成される。その電解装置は主としてメイン制御回路基板、コントロールパネル回路基板、水管、電解槽、流量センサーを含む。外部電源が電源アダプタを通過してメイン制御回路基板、コントロールパネル回路基板及び電解槽に電力を供給する。流量センターは電解水機の内臓式フィルタの出水管上に取り付けられ、出水管は電解槽に接続する。電解槽には、メイン用水管と回流管を設ける。その特徴は、必要に応じて、上述のメイン用水管から出るのが酸性水であるか、アルカリ性水であるかをパネルにより制御でき、またメイン用水管の後端にナノ熱ヒーターが備えていることにある。
【０００７】
上述の電解槽の回流管により、電解の後、生成した付着水が回流管を通過して電解水機の内蔵式フィルタに入り、水道水と混合して再び電解槽に入られる。従って、用水を節約し、便利に使用できる。
【０００８】
また、上述のナノ熱ヒーターには熱センサーが接続している。
【考案の効果】
【０００９】
本考案は、ナノ熱ヒーターの採用により、水電の分離を実現し、安全を確保できる。加熱の時、温度上昇が快速で、熱効率が高いため、スイッチを入れ次第に温かくなるという効果が実現できる。使用の過程中に、有害ガスが発生しなく、酸素の必要がない、騒音もなく、周りの環境に影響を与えない。よって、本考案は、環境保全に向ける製品である。また、電解により生じる酸化電位水が肌や毛穴などに対して収斂の効果を持ち、且つ水の中に活性酸素を多く含んで、美容用水としても使用できる。それに、細菌の成長、繁殖に対して抑制効果があるため、通常に弱酸性美容水と呼ばれている。
【図面の簡単な説明】
【００１０】
【図１】本考案の好適な実施形態に係る湯沸器の構成図である。
【図２】本考案の好適な実施形態に係る湯沸器の構成図である。
【考案を実施するための形態】
【００１１】
次に、添付した図面を参照しながら、本考案の好適な実施形態を詳細に説明する。
【００１２】
図のように、本考案は、主要として、浄化装置7、電解槽11及びナノ熱ヒーター13を含む。浄化装置、電解装置及びナノ熱ヒーターに対しては統一に設計、取り付けを行う。三者は、水管8、回流管10及びメイン用水管12により互いに接続する。そのうち、電解加熱システムが水管8、メイン用水管12、回流管10、電源アダプタ15、流量センター9、メイン制御回路基板1、電解槽11、ナノ熱ヒーター13、及び用水管蛇口14により構成される。なお、メイン制御回路基板1上には通電パイロットランプ2、電源スイッチ3、酸性・アルカリ性選択ボタン4、PH値選択ボタン5などの制御ボタンを設け、制御ボタンはメイン制御回路基板1の回路と繋がっている。メイン制御回路基板1は、それぞれ流量センサー9、電解槽11、ナノ熱ヒーター13と繋がる。外部電源（220V）が電源アダプタ15により転換されてから、メイン制御回路基板1及び電解槽11に電力を供給する。水管8が電解槽11に接続している。且つ、水管8上には流量センサーが備えている。メイン用水管12上にナノ熱ヒーター13を設置する。ナノ熱ヒーター13上に熱センサーがあり、メイン制御回路基板1に接続する。ナノ熱ヒーター13の一端の入水口が直接にメイン用水管12と繋がる。
【００１３】
使用の時、水道水が入水口6を通過して浄化装置7に入り、水管8により流量センサー9を起動させてから、電解槽11に入る。電解槽11はメイン制御回路基板1の指令に基づき、電解を行ってアルカリ性水と酸性水を生成し、そして、それぞれメイン用水管12と回流管10から流出させる。加熱の必要がある場合、メイン制御回路基板1中の回路より信号を発送して、ナノ熱ヒーター13を起動させる。ナノ熱ヒーター13は直接に水に対して加熱する。
【００１４】
本製品は、水が直接にナノ熱ヒーター13を経由するため、加熱が快速で、熱効率も高い、安全に使用できる。また、寒い冬に、いつでも温かい弱アルカリ性水が飲めるとともに、弱酸性美容水に対しても快速加熱でき、スキンケアや美容及び細菌抑制など優れた効果を持っている。
【００１５】
以上、本考案の好ましい実施形態を説明したが、本考案はこの実施形態に限定されず、本考案の趣旨を離脱しない限り、本考案に対するあらゆる変更は本考案の範囲に属する。
【符号の説明】
【００１６】
１  メイン制御回路基板
２  通電パイロットランプ
３  電源スイッチ
４  酸性・アルカリ性選択ボタン
５  PH値選択ボタン
６  入水口
７  浄化装置
８  水管
９  流量センサー
１０  回流管
１１  電解槽
１２  メイン用水管
１３  ナノ熱ヒーター
１４  用水管蛇口
１５  電源アダプタ
【図１】
0003153462.tif 000003
【図２】
0003153462.tif 000004
【手続補正書】
【提出日】平成21年7月6日(2009.7.6)
【手続補正１】
【補正対象書類名】実用新案登録請求の範囲
【補正対象項目名】全文
【補正方法】変更
【補正の内容】
【実用新案登録請求の範囲】
【請求項１】
浄化装置、電解装置及びナノ熱ヒーターを含む養生活肌酸性・アルカリ性湯沸器であって、
電解装置は、電源アダプタ、メイン制御回路基板、コントロールパネル回路基板、水管、電解槽、流量センサーを含み、
電力が電源アダプタを通過してメイン制御回路基板、コントロールパネル回路基板及び電解槽に供給され、
流量センサーは、電解槽の入水管に設けられ、入水管は電解槽に接続し、
電解後の電解水がそれぞれメイン用水管及び回流管により送り出され、
前記電解槽のメイン用水管上にナノ熱ヒーターは設けられる、
ことを特徴とする養生活肌酸性・アルカリ性湯沸器。
【請求項２】
前記養生活肌酸性・アルカリ性湯沸器は、浄化装置、電解槽、ナノ熱ヒーター、電源アダプタ及び制御回路基板により組合せされる、
ことを特徴とする請求項１に記載の養生活肌酸性・アルカリ性湯沸器。
【請求項３】
前記電解槽は、コントロールパネルからの指令により酸性水又はアルカリ性水を生成することが可能である、
ことを特徴とする請求項１に記載の養生活肌酸性・アルカリ性湯沸器。
【請求項４】
前記電解槽が制御パネルからの指令により生成した付着水は、回流管を通過して浄化装置へ戻る、
ことを特徴とする請求項１に記載の養生活肌酸性・アルカリ性湯沸器。
【請求項５】
前記メイン用水管は、指令により酸性水又はアルカリ性水を送り出せる、
ことを特徴とする請求項１に記載の養生活肌酸性・アルカリ性湯沸器。
【請求項６】
前記ナノ熱ヒーター上に温度センサーが設けられる、
ことを特徴とする請求項１に記載の養生活肌酸性・アルカリ性湯沸器。